(57)【要約】
【課題】　無線入力装置を収納できる受信器の提供。
【解決手段】　受信器は収容装置と無線入力装置を具え、該収容装置内部に巻き取り機構が設けられ、該巻き取り機構に連接手段が巻き付けられ、別に該収容装置中に収容空間が設けられ、且つ収容空間の一側に可動式蓋板が枢設され、収容空間中に無線入力装置が収容され、該収容装置が連接手段によりコンピュータに接続され、並びに無線入力装置で伝送した信号を収容装置を介してコンピュータに伝送でき、無線入力装置によりスクリーン上のカーソルを制御できる。
【選択図】　　　　図２
0003100452.tif 000002
【実用新案登録請求の範囲】
【請求項１】
　無線入力装置を収納できる受信器において、該受信器は収容装置と無線入力装置を具え、該収容装置は中空箱状を呈し、内部に巻き取り機構が取り付けられ、該巻き取り機構に連接手段が巻き付けられ、別に該収容装置中に収容空間が設けられ、該無線入力装置は該収容装置の収容空間中に収容可能とされたことを特徴とする、無線入力装置を収納できる受信器。
【請求項２】
　請求項１記載の無線入力装置を収納できる受信器において、収容装置の収容空間中に充電手段が設けられ、無線入力装置にあって該充電手段に対応する接続手段が設けられたことを特徴とする、無線入力装置を収納できる受信器。
【請求項３】
　請求項１記載の無線入力装置を収納できる受信器において、収容装置の収容空間の一側に可動式の蓋板が枢設され、該蓋板に係合装置が設けられ、該収容装置にあって、該係合装置に対応する止め孔が設けられたことを特徴とする、無線入力装置を収納できる受信器。
【請求項４】
　請求項１記載の無線入力装置を収納できる受信器において、連接手段の末端にプラグが設けられたことを特徴とする、無線入力装置を収納できる受信器。
【考案の詳細な説明】
【技術分野】
【０００１】
　本考案は一種の無線入力装置を収納できる受信器に係り、特に、無線入力装置が受信器中に収容され、受信器が無線入力装置に対して充電可能で、無線入力装置を収納でき、並びに受信器がコンピュータに接続されて、無線入力装置の受信器とされ、無線入力装置の信号データが受信器を介してコンピュータに伝送され、無線入力装置が携帯に便利とされ、且つ余分の変成器や変圧器を必要とせず、無線入力装置に実用効果を具備させる、無線入力装置を収納できる受信器に関する。
【背景技術】
【０００２】
　現在、コンピュータテクノロジーの急速な発展により、デスクトップ型コンピュータ或いはノートブック型コンピュータはすでに社会の各所に普及し、使用者が新しい情報を獲得したり、データを受信したり伝送する作業を行なう時、いずれもコンピュータをネットワークに接続して作業を行なうことができる。ネットワークテクノロジーは敏捷、迅速な特性と国境がないため、すでに現代生活中の個人或いは会社の必要な資源の一つとなっており、コンピュータの便利性は人類に生活上、仕事上の敏捷性と快適性ををもたらした。コンピュータの周辺機器でコンピュータの運転、使用時に必要な工具、例えばマウスはコンピュータ周辺機器中不可欠な重要な工具であり、各種のオペレーションシステム中で、いずれもマウスによるカーソルの位置と指向の制御が必要であり、マウスによりコンピュータ作業が相当に簡単に便利に行なえ、マウスはコンピュータ作業において重要な地位を占めている。
【０００３】
　周知のコンピュータマウスは、いずれもケーブルでコンピュータに接続され、ケーブルを介してコンピュータスクリーン上のカーソルを制御していた。しかしケーブルの長さは有限であり、マウスの使用範囲が制限され、マウスのケーブルと他のケーブルが絡み合うため、使用上、相当に不便であり、且つ、一般にマウスを使用する時、マウスはコンピュータの周辺に置かれるため、マウスのボタンを誤って押すことによりコンピュータの動作にエラーが生じたり、データが不当に処理されてコンピュータ作業内容が破壊されてしまうことがある。さらにノートブック型コンピュータに関しては、携帯の便利さを求めて開発されたが、マウスのケーブルが使用時の不便を形成する。これはノートブック型コンピュータの周辺の各種のケーブルの挿入に供されるコネクタ位置が有限であるためで、ゆえに多くのコネクタの位置が相当に接近し、このため相互に干渉を発生しやすく、特に重要であることは、ケーブルのためにマウスが収納に極めて不便となり、且つ携帯しにくくなり、マウスの収納、携帯の過程中にボタンとその他の物品が接触し、マウスボタンが損壊し、マウスの使用上の多くの不便を形成することである。このため業者による急速な改善が求められている。
【考案の開示】
【考案が解決しようとする課題】
【０００４】
　ゆえに、本考案は周知のケーブルを具えたマウスの使用、携帯及び収納時の不便を鑑み、受信器をコンピュータに接続し、さらに無線マウス（無線入力装置）を受信器の信号受信範囲内にあって操作することでコンピュータカーソルを制御できるようにする。
【０００５】
　本考案の主要な目的は、受信器を収容装置及び無線入力装置を具えたものとなし、該収容装置は信号受信器となし、伸縮式の連接手段を具備させ、内部に収容空間を設け、該収容空間中に無線入力装置を収納できるようにし、無線入力装置を収容空間より取り出す時、該収容装置の受信範囲内で、無線入力装置の発射する信号をコンピュータに伝送できるようにし、無線入力装置によるコンピュータのカーソル制御の目的と機能を達成することにある。
【０００６】
　本考案の次の目的は、収容装置の収容空間に蓋板を設け、蓋板で収容空間を被覆し、異物或いはゴミの収容空間への進入を防止することにある。
【０００７】
　本考案の別の目的は、収容装置の収容空間中に充電手段を設け、且つ該充電装置に対応する無線入力装置に接続手段を設け、無線入力装置を収容空間中に置く時、接続手段と充電手段を接触させて、無線入力装置に充電を行なえるようにすることにある。
【０００８】
　本考案のまた別の目的は、受信器を不使用時に連接手段を受信器中に収容できるようにし、並びに無線入力装置を収容空間内に収容し、受信器を携帯しやすく、収納に便利なものとなすことにある。
【課題を解決するための手段】
【０００９】
　請求項１の考案は、無線入力装置を収納できる受信器において、該受信器は収容装置と無線入力装置を具え、該収容装置は中空箱状を呈し、内部に巻き取り機構が取り付けられ、該巻き取り機構に連接手段が巻き付けられ、別に該収容装置中に収容空間が設けられ、該無線入力装置は該収容装置の収容空間中に収容可能とされたことを特徴とする、無線入力装置を収納できる受信器としている。
　請求項２の考案は、請求項１記載の無線入力装置を収納できる受信器において、収容装置の収容空間中に充電手段が設けられ、無線入力装置にあって該充電手段に対応する接続手段が設けられたことを特徴とする、無線入力装置を収納できる受信器としている。
　請求項３の考案は、請求項１記載の無線入力装置を収納できる受信器において、収容装置の収容空間の一側に可動式の蓋板が枢設され、該蓋板に係合装置が設けられ、該収容装置にあって、該係合装置に対応する止め孔が設けられたことを特徴とする、無線入力装置を収納できる受信器としている。
　請求項４の考案は、請求項１記載の無線入力装置を収納できる受信器において、連接手段の末端にプラグが設けられたことを特徴とする、無線入力装置を収納できる受信器としている。
【考案の効果】
【００１０】
　本考案の無線入力装置を収納できる受信器は、使用時に確実に予期された機能と目的を達成し、ゆえに本考案は実用性に優れた考案であり、実用新案登録の要件を具備している。
【考案を実施するための最良の形態】
【００１１】
　図１、２、３は本考案の斜視図、分解斜視図、使用状態の斜視図である。これらの図に示されるように、本考案の受信器１は収容装置２と無線入力装置３を具えている。
【００１２】
　該収容装置２は中空箱状を呈し、内部に巻き取り機構２１が取り付けられ、該巻き取り機構２１に連接手段２１１が巻き付けられ、連接手段２１１の前端にプラグ２１２が設けられている。別に、該収容装置２中に収容空間２２があり、該収容空間２２中に充電手段２２１が設けられ、且つ収容空間２２の一側に可動式の蓋板２３が設けられ、該蓋板２３に係合装置２３１が設けられ、係合装置２３１に対応する収容空間２の位置に止め孔２４が設けられ、該蓋板２３が収容空間２２を被覆する時、蓋板２３の係合装置２３１が止め孔２４中に係止され、蓋板２３が収容装置２に位置決めされる。
【００１３】
　該無線入力装置３は、該収容装置２の収容空間２２中に放置可能で、それに接続手段３１が設けられ、該接続手段３１は無線入力装置３に充電を行なうのに用いられる。
【００１４】
　該無線入力装置３は収容装置２の収容空間２２中に収容され、並びに接続手段３１で収容空間２２中の充電手段２２１に接続され、充電手段２２１及び接続手段３１の相互接触導通により、無線入力装置３に充電が行なわれる。
【００１５】
　上述の充電手段２２１は金属弾性片とされ、接続手段３１もまた金属片体とされ、接続手段３１が充電手段２２１と接触導通可能とされる。或いは収容装置２中の収容空間２２の充電手段２２１は挿入手段（或いは挿入孔）形状とされ（図４参照）、無線入力装置３の接続手段３１が充電手段２２１と接合且つ導通可能な形態とされる。或いは、収容装置２、無線入力装置３の内部に電磁誘導コイルが設けられ、電磁誘導コイルの誘導導電により、収容装置２が無線入力装置３に充電を行なうものとされる。
【００１６】
　該受信器１の収容装置２は連接手段２１１のプラグ２１２によりコンピュータ装置４のコンピュータ４１に接続され（図１、２、５参照）、さらに無線入力装置３が収容装置２の収容空間２２より取り出され、無線入力装置３が信号を収容装置２に送り、収容装置２が信号をコンピュータ装置４のコンピュータ４１に送り、無線入力装置３によるコンピュータ装置４のスクリーン上のカーソルの制御が達成される。コンピュータ装置４が停止され使用されない時、収容装置２のプラグ２１２がコンピュータ４１より抜き取られ、プラグ２１２及び連接手段２１１が一体に巻き取り機構２１中に巻き取られ、さらに無線入力装置３が収容装置２の収容空間２２中に収容され、蓋板２３で収容空間２２の上方が閉じられ、受信器１が携帯、収納に便利とされる。
【００１７】
　該収容装置２中には電力保存装置を設置可能であり、収容装置２が連接手段２１１のプラグ２１２でコンピュータ装置４のコンピュータ４１に接続される時、コンピュータ４１により収容装置２に対して充電を行なうことができ、収容装置２とコンピュータ４１分離後に、電力保存装置により収容装置２内部の無線入力装置３に対して充電を行ない、無線入力装置３中に十分な電力を保持させることができる。
【００１８】
　以上は本考案の好ましい実施例の説明であって本考案の実施範囲を限定するものではなく、本考案に基づきなしうる細部の修飾或いは改変は、いずれも本考案の請求範囲に属するものとする。
【図面の簡単な説明】
【００１９】
【図１】本考案の斜視図である。
【図２】本考案の分解斜視図である。
【図３】本考案の使用状態の斜視図である。
【図４】本考案の別の実施例の斜視図である。
【図５】本考案の受信器をコンピュータに接続した使用状態図である。
【符号の説明】
【００２０】
１　受信器
２　収容装置
２１　巻き取り機構　　　　　　　　２２１　充電手段
２１１　連接手段　　　　　　　　　２３　蓋板
２１２　プラグ　　　　　　　　　　２３１　係合装置
２２　収容空間　　　　　　　　　　２４　止め孔
３　無線入力装置
３１　接続手段
４　コンピュータ装置
４１　コンピュータ
【図１】
0003100452.tif 000003
【図２】
0003100452.tif 000004
【図３】
0003100452.tif 000005
【図４】
0003100452.tif 000006
【図５】
0003100452.tif 000007